(57)【要約】【課題】円周状をなす切刃が形成された切削インサートにおいて、切込み量や送り量が小さくて幅狭で肉厚の薄い切屑が生成されるような場合でも、確実な切屑処理を図る。【解決手段】円形状のすくい面３の外周縁に切刃５が形成され、このすくい面３には、すくい面３がなす円の中央部から切刃５に向けて延びる複数の突条部９がこの円の周方向に間隔をあけて放射状に形成されており、突条部９の突稜線９Ｂ部分は、少なくとも切刃５に交差する部分がブレーカ面１０とされている。【選択図】図８
2010082732.tif 000002
【特許請求の範囲】
【請求項１】
円形状のすくい面の外周縁に切刃が形成され、上記すくい面には、該すくい面がなす円の中央部から上記切刃に向けて延びる複数の突条部が該円の周方向に間隔をあけて放射状に形成されており、上記突条部の突稜線部分は、少なくとも上記切刃に交差する部分がブレーカ面とされていることを特徴とする切削インサート。
【請求項２】
上記すくい面の中央部には、上記円の周方向に隣接する上記突条部同士の間隔部分に連通するように凹む凹部が形成されていることを特徴とする請求項１に記載の切削インサート。
【請求項３】
上記周方向に隣接する上記突条部同士の間隔部分には、上記中央部側に、さらに上記凹部に連通する窪みが形成されていることを特徴とする請求項２に記載の切削インサート。
【発明の詳細な説明】
【技術分野】
【０００１】
本発明は、円形状のすくい面の外周縁に切刃が形成されて、円周状をなすことになるこの切刃により被削材の倣い旋削等を行う切削インサートに関するものである。
【背景技術】
【０００２】
このような円形状のすくい面を備えた切削インサートとしては、例えば特許文献１に、上面と湾曲した二番取り面とを有しこれらの間の実質的に円形状の切り刃を定め更に切り屑成形具が上面に配置された金属切削用チップにおいて、切り屑成形具は上面に形成された複数の実質的に半径方向の凹所を備え、この凹所はそれぞれ切り刃に隣接したこれと同じ長さのランド面から延びかつランド面に滑らかに変わり、実質的に中央に置かれた反らせ壁に滑らかに変わり、隣接凹所が実質的に半径方向の真っすぐな隆起において交差し、各隆起は、その一方の端部において、ランド面から滑らかに延びている要素すくい面に滑らかに変わり、更にその反対側端部において、反らせ壁に滑らかに一緒に変わるようにされたものが提案されている。
【０００３】
また、特許文献２にも、円形状のすくい面と逃げ面との交差稜線部に円周状の切刃が形成された切削インサートにおいて、上記すくい面に切屑反らせ（chip deflector）を形成した切削インサートが提案されている。
【特許文献１】特開平５−２５３７０９号公報
【特許文献２】米国特許第６７９６７５２号明細書
【発明の開示】
【発明が解決しようとする課題】
【０００４】
しかしながら、このうち特許文献２に記載の切削インサートでは、上記切屑反らせが、円周状をなす切刃からすくい面の内周側に間隔をあけて形成されているため、例えば被削材への切込み量や送り量が小さくて厚みの薄い切屑が生成される場合などには、切屑反らせに達する前に切屑が伸び上がってしまい、確実な切屑処理を図ることが困難となるおそれがあった。
【０００５】
これは、特許文献１に記載の切削インサートでも同様であり、すなわちこの特許文献１に記載の切削インサートでは、上記隣接凹所が交差する半径方向に真っ直ぐな隆起を跨ぐように切屑を生成させることにより、その幅方向に変形させて剛性化するとともに反らせ壁に向けて案内し、こうして剛性化した切屑を反らせ壁に衝突させて分断するようにしているが、円周状の切刃を有する切削インサートにおいて切込み量が小さいと切屑の幅も小さくなってしまうため、場合によっては切屑が上記隆起を跨ぐことなく凹所内に流れ込むように生成されるおそれがあり、やはり反らせ壁に達する前に切屑が伸びきって処理が困難となってしまう。
【０００６】
また、この特許文献１に記載の切削インサートでは、このように隣接凹所が交差する稜線である隆起によって切屑を剛性化しているため、この隆起が摩耗しやすく、長期に亙って安定した切屑処理性を維持することも困難となる。さらに、すくい面の中央部は、上記反らせ壁を側壁とする円錐台状の突起が形成されることにより高くなっており、上述のように伸びきった切屑がこの突起に衝突すると、その流出方向を制御することができなくなって、被削材の加工面を傷付けたりするおそれも生じる。また、例えば突起を挟んで一方の側の切刃で生成された切屑が伸びて連続して流出する場合、この切屑を突起の一方の側を向く反らせ壁に衝突させてその流出方向を制御できていたとしても、倣い加工によって切屑が生成される位置が切刃上で変化して突起を挟んだ他方の側に移ったときには、切屑は連続したままこの他方の側の切刃から突起の一方の側の反らせ壁に伸びて排出されるという無理な流れをなすことになり、すなわち中央部の突起が邪魔になって切屑の自由な排出が阻害されるという問題も生じる。
【０００７】
本発明は、このような背景の下になされたもので、円周状をなす切刃が形成された切削インサートにおいて、切込み量や送り量が小さくて幅狭で肉厚の薄い切屑が生成されるような場合でも、確実な切屑処理を図ることが可能な切削インサートを提供することを目的としている。
【課題を解決するための手段】
【０００８】
上記課題を解決して、このような目的を達成するために、本発明の切削インサートは、円形状のすくい面の外周縁に切刃が形成され、上記すくい面には、該すくい面がなす円の中央部から上記切刃に向けて延びる複数の突条部が該円の周方向に間隔をあけて放射状に形成されており、上記突条部の突稜線部分は、少なくとも上記切刃に交差する部分がブレーカ面とされていることを特徴とする。
【０００９】
このように構成された切削インサートでは、すくい面に形成された上記突条部の突稜線部分が、ある程度の幅をもったブレーカ面として切刃に交差させられているので、上述のように幅狭で肉厚の薄い切屑が生成されても、これを切刃で生成された直後にこのブレーカ面に摺接させて抵抗を与えることによりカールさせて分断処理することができる。しかも、このブレーカ面は面であるため、こうして切屑が摺接しても摩耗し難く、長期に亙って安定した切屑処理を図ることができる。
【００１０】
また、このように切屑を生成直後からブレーカ面に摺接させて処理することができるため、特許文献１に記載の切削インサートのようにすくい面の中央部に突起を設けて高くする必要がなくなり、このすくい面の中央部を、例えばすくい面におけるブレーカ面の突端を越えない高さに抑えることができる。従って、万一ブレーカ面による処理が不十分で切屑が伸びてしまっても、切屑はこの中央部を通って被削材に切り込まれた切刃部分とは反対側に流出することになるため、被削材の加工面を傷付けることはなく、また倣い切削によって切屑が生成される位置が切刃上で変化しても、切屑の自由な排出が阻害されることもない。
【００１１】
そして、さらにこうしてすくい面の中央部の高さを抑える場合などには、このすくい面の中央部に、該すくい面がなす上記円の周方向に隣接する上記突条部同士の間隔部分に連通するように凹む凹部を形成することにより、切削時に供給される切削油剤をこの凹部に保持し、該凹部から上記突条部同士の間隔部分を介して切刃やブレーカ面に導入することができる。このため、これら切刃や、特にブレーカ面の摩耗や発熱を抑えて、一層長期に亙って安定した切屑処理を図ることが可能となる。
【００１２】
なお、こうしてすくい面の中央部に凹部を形成して切削油剤を保持、導入する場合には、上記周方向に隣接する突条部同士の間隔部分の上記中央部側に、さらに上記凹部に連通する窪みを形成することにより、凹部に供給された切削油剤をこの窪みに導入してさらに一旦保持した上で、突条部同士の間隔部分に導くことができ、この間隔部分から切刃やブレーカ面への切削油剤の供給をより安定させて、これら切刃やブレーカ面の摩耗や発熱を一層抑制することができる。
【発明の効果】
【００１３】
以上説明したように、本発明によれば、幅狭で肉厚の薄い切屑が生成されるような場合でも、これを確実に処理して円滑な切削加工を促すことができ、しかもこのような切屑処理性を長期に亙って安定して維持することが可能となる。
【発明を実施するための最良の形態】
【００１４】
図１ないし図９は、本発明の切削インサートの一実施形態を示すものである。本実施形態の切削インサートにおいて、そのインサート本体１は、超硬合金等の硬質材料により形成されて概略方形軸状（方形柱状）をなし、その長手方向（図２〜図４における左右方向）に直交してこの長手方向中央に位置する平面に関して略対称に形成されるとともに、この平面に直交してインサート本体１の幅方向（図２および図４における上下方向。図５においては左右方向）中央に位置し、インサート本体１の厚さ方向（図３および図５における上下方向）に延びる平面に関しても対称な形状とされている。
【００１５】
このインサート本体１の長手方向の端部（両端部）には切刃部２が形成されており、この切刃部２には、上記厚さ方向を図１、図３、図５において上側に向く円形状のすくい面３と、このすくい面３に交差して同図１、図３、図５において下側に延びる逃げ面４とが形成されていて、これらすくい面３と逃げ面４とがなす交差稜線、すなわちすくい面３の外周縁に、円周状をなす切刃５が形成されている。
【００１６】
なお、逃げ面４は、切刃５から離間して上記下側に向かうに従い該切刃５がなす円周から漸次縮径するように概略円錐面状に形成されており、これにより本実施形態の切削インサートは切刃５に逃げ角が付されたポジティブタイプのインサートとされている。ただし、切刃部２の長手方向を向く端面において逃げ面４の下側は、長手方向に垂直な平坦面６とされている。
【００１７】
また、長手方向両端の切刃部２の間において、上記厚さ方向にすくい面３と同じ側を向くインサート本体１の上面部７は、図３に示すようにこれら切刃部２よりも厚さ方向に一段突出するようにされている。さらに、この上面部７と、該上面部７とは反対のインサート本体１の下面部８とには、その長手方向全長に亙って断面凹Ｖ字状をなす取付溝部７Ａ，８Ａが形成されている。なお、上面部７の上記長手方向を向く端面７Ｂは、それぞれ切刃部２側に向かうに従い下面部８側に向かって傾斜する傾斜平面とされている。
【００１８】
本実施形態の切削インサートは、これらの取付溝部７Ａ、８Ａが、インサート着脱式旋削工具のホルダに形成されたインサート取付座の互いに対向して断面凸Ｖ字状をなす一対の顎部に当接して挟み込まれるとともに、一方の端部の上記平坦面６がこれら一対の顎部の奥に形成された当接部に当接させられて、このホルダに保持される。そして、この一方の端部とは反対の、インサート取付座から突出させられる他方の端部の切刃部２により、被削材の倣い加工等に使用される。
【００１９】
さらに、上記すくい面３がなす円の直径は、図２に示すように両端の切刃部２の間におけるインサート本体１の幅よりも僅かに大きくされており、切刃５は、この切刃部２の間におけるインサート本体１の幅方向を向く側面が逃げ面４と交差する部分までの、各切刃部２における上記長手方向外側の先端側部分に形成されていて、中心角が１８０°を僅かに超える円弧状とされている。また、この切刃５は、図３および図５に示すように、上記厚さ方向に垂直な１つの仮想平面Ｐ上に位置させられている。
【００２０】
そして、このすくい面３には、該すくい面３から上記厚さ方向に突出する複数（本実施形態では４条）の突条部９が、それぞれこのすくい面３がなす円の中央部から切刃５に向かうように、かつ互いにはこの円の周方向に間隔をあけて放射状に延びるように形成されている。さらに、これらの突条部９の上記厚さ方向に突出した突稜線部分は面取りされており、この面取りされた部分が切刃５に交差するように形成されて、ブレーカ面１０とされている。
【００２１】
ここで、個々の突条部９は、それぞれすくい面３がなす円の半径方向に延びるように形成されていて、上記仮想平面Ｐに垂直でこの半径方向に延びる平面に関して対称形状に形成されている。また、上記ブレーカ面１０は、こうして延びる突条部９のうち切刃５に連なるすくい面３の外周側部分だけに形成されており、このブレーカ面１０が形成されていない内周側部分で突条部９は、上記仮想平面Ｐに垂直かつ上記半径方向に直交する断面において概略二等辺三角形状をなすように突出している。従って、突条部９には、上記円の周方向を向いてこの二等辺三角形の二等辺をなす一対の傾斜側面９Ａが形成されて、これらの傾斜側面９Ａの交差稜線が突条部９の突稜線９Ｂとされ、この突稜線９Ｂを切刃５側に延長した突稜線部分が面取りされて上記ブレーカ面１０が形成される。
【００２２】
このブレーカ面１０は、上記仮想平面Ｐに垂直かつ上記半径方向に直交する断面においては、この仮想平面Ｐに平行に延びるようにされるとともに、同仮想平面Ｐに垂直で上記半径方向に沿った断面においては、図７に示すように切刃５側からすくい面３の内周側に向かうに従い本実施形態では滑らかな凹曲線を描きつつ、該仮想平面Ｐに対して上記厚さ方向に漸次突出して隆起するように形成されている。
【００２３】
また、図９に詳しく示すように、突条部９自体は切刃５側に向かうに従い上記円の周方向の幅が幅狭となるように、すなわち上記半径方向に直交する断面において上記一対の傾斜側面９Ａが二等辺をなす二等辺三角形が、この半径方向に沿って切刃５側に向かうに従い漸次小さくなるように形成される一方、ブレーカ面１０は逆に切刃５側に向かうに従い幅広となるように形成されている。なお、このブレーカ面１０と一対の傾斜側面９Ａとは鈍角をなして交差することになり、それぞれの交差稜線１０Ａは、同図９に示すように上記仮想平面Ｐに対向する平面視において傾斜側面９Ａ側に膨らむ凸曲線をなし、切刃５とその交点における接線に略直交するように交差させられている。
【００２４】
さらに、この突条部９は、上述のように切刃５側からすくい面３の内周側に向かうに従い漸次突出するように形成されたブレーカ面１０の突端Ｑ、すなわち上記突稜線９Ｂと一対の上記交差稜線１０Ａとの交点が、すくい面３上で上記厚さ方向に最も突出した高さとなるようにされている。従って、突稜線９Ｂは、この突端Ｑと等しい高さで仮想平面Ｐに平行に延びるか、あるいは内周側に向かうに従い上記厚さ方向に後退するように緩やかに傾斜して延びることになる。
【００２５】
本実施形態では、このような突条部９が、隣接する突条部９同士の間隔が略等間隔となるように、すくい面３がなす円の中心を通り上記仮想平面Ｐに直交するすくい面中心線Ｃを中心として所定角度ずつ回転対称に形成されている。なお、こうして隣接する突条部９は、互いに対向する上記傾斜側面９Ａの上記厚さ方向の基端縁（傾斜側面９Ａとすくい面３との交差稜線）同士がすくい面３の内周側（中央部側）で交差するように延びている。また、これら隣接する突条部９の互いに対向する上記傾斜側面９Ａ同士の切刃５側における間隔（すくい面３がなす円の周方向の間隔）は、突条部９のブレーカ面１０の切刃５側の幅（ブレーカ面１０が交差した部分における切刃５の幅）よりも大きくされている。
【００２６】
さらに、上述のように円弧状に形成された切刃５の両端部においては、この両端部側の突条部９の各端部側を向く傾斜側面９Ａに対向するように、該傾斜側面９Ａと上記仮想平面Ｐに垂直な平面に関して面対称形状の傾斜側面９Ｃがそれぞれ形成されている。ここで、本実施形態では、この面対称の基準となる平面は、上記すくい面中心線Ｃを含んで上記長手方向に垂直な平面とされている。
【００２７】
また、すくい面３がなす円の周方向においてこれらの傾斜側面９Ｃの間の、切刃５が形成された長手方向外側とは反対を向くすくい面３の後端側部分は、上記すくい面中心線Ｃを含む平面による断面形状が、いずれの位置の断面においても、突条部９の上記突稜線９Ｂに沿った断面と同形状となるようにされている。すなわち、当該部分において、すくい面３がなす円の外周側は、内周側（中央部側）に向かうに従い凹曲線を描きつつ厚さ方向に突出するように隆起し、突条部９の上記突端Ｑと同じ高さで最も高い位置となるように、また周方向にはこのような凹曲線が連続して周回するように形成されるとともに、これよりも内周側は仮想平面Ｐに平行な平坦面か、あるいは内周側に向かうに従い厚さ方向に後退するように緩やかに傾斜する凹円錐面とされる。
【００２８】
このように突条部９と傾斜側面９Ｃとが形成されることにより、すくい面３には、隣接する突条部９の互いに対向する傾斜側面９Ａ同士の間と、切刃５の両端部の突条部９の傾斜側面９Ａと傾斜側面９Ｃとの間とに、すくい面３がなす円の外周側に向かうに従い同円の周方向の幅が漸次拡がって切刃５に交差する概略扇状の部分が残されることになる。そして、この扇状の部分は、図６に示すように切刃５から上記円の内周側に向かうに従い上記仮想平面Ｐに対して厚さ方向に後退するポジすくい面３Ａとされており、特に本実施形態では上記すくい面中心線Ｃを中心とした凹円錐面状とされている。
【００２９】
一方、突条部９と上述のような後端側部分とにより上記厚さ方向に凸となるすくい面３の中央部には、本実施形態では凹部１１が形成されている。この凹部１１は、図６および図７に示すように凹曲面状の底面を有するものであって、この底面は例えば上記すくい面中心線Ｃ上に中心を有する凹球面状とされている。ただし、その深さは、凹部１１の底面が最も上記厚さ方向に凹むすくい面中心線Ｃ上の位置においても、上記仮想平面Ｐと同等か、これよりも高い位置に底面が位置するようにされている。
【００３０】
また、この凹部１１のすくい面３中央部における開口半径は、すくい面中心線Ｃから各突条部９の突端Ｑまでの距離よりは小さく、かつ、隣接する突条部９の互いに対向する傾斜側面９Ａ同士の交差稜線を突端Ｑと同じ高さまで延長したと想定したときのすくい面中心線Ｃからの距離よりは大きくされている。従って、凹部１１の底面は、この互いに対向する傾斜側面９Ａ同士の交差稜線の延長線に交差することになって、すなわち凹部１１により、すくい面３中央部側の、この交差稜線の上縁部周辺の傾斜側面９Ａが切り欠かれることになり、これにより該凹部１１は、すくい面３がなす円の周方向に隣接する突条部９同士の間の間隔部分に連通するように凹むことになる。
【００３１】
ただし、本実施形態では、こうして凹部１１により切り欠かれるはずの突条部９同士の間隔部分におけるすくい面３中央部側の上記交差稜線の上縁部周辺に、さらに該凹部１１に連通するように窪み１２が形成されており、凹部１１は実際にはこの窪み１２を介して突条部９同士の間隔部分に連通することになる。この窪み１２もまた、その底面が凹曲面状に形成されたものであって、ただしその曲率半径は、図６に示すように凹部１１の底面がなす凹曲面の半径よりも小さくされている。なお、窪み１２は、隣接するすべての突条部９同士の間隔部分と、切刃５の両端部の突条部９と傾斜壁面９Ｃとの間隔部分とに形成されている。
【００３２】
このように構成された切削インサートにおいては、すくい面３に形成された突条部９の傾斜側面９Ａ同士の突稜線９Ｂが切刃５側で面取りされてブレーカ面１０が形成され、このブレーカ面１０がそのまま切刃５に交差させられているので、肉厚の大きい切屑は勿論、切込み量や送り量が小さくて肉厚の薄い切屑が生成されるような場合でも、生成直後からブレーカ面１０に摺接させることによってこの切屑に抵抗を与えてカールさせ、分断して円滑に処理することができる。また、このブレーカ面１０は上述のようにすくい面３がなす円の周方向にある程度の幅をもって形成されているので、こうして切屑が摺接しても容易に摩耗することがなく、従って長期に亙ってこのような円滑な切屑処理性を安定して維持することができる。
【００３３】
特に、本実施形態では、このブレーカ面１０と突条部９の両傾斜側面９Ａとの交差稜線１０Ａが、切刃５との交点における該切刃５の接線と直交するようにこの切刃５と交差し、すくい面３がなす円の内周側に向かうに従い上記幅が狭くなるような、両傾斜面９Ａ側に膨らむ凸曲線状とされているので、切屑の生成直後の切刃５側では、より広い幅を維持して切屑に大きな抵抗を与えることができる。その一方で、このブレーカ面１０は、切刃から離れた上記円の内周側では幅狭となり、突条部９の突端Ｑにおいて幅が０となって潰えてしまうので、必要以上に大きな抵抗が与えられて、その反作用により切削抵抗の増大を招くようなことがない。なお、ブレーカ面１０は突条部９の全長に亙って形成されていてもよい。
【００３４】
また、本実施形態では、このブレーカ面１０の突端Ｑが突条部９において最も上記厚さ方向に突出して、すくい面３上で上記仮想平面Ｐに対する高さが最高位置とされており、すなわち切刃５から突条部９に沿って上記円の内周側に向けた延長線上には、この突端Ｑよりも突出して切屑の流れを遮るような障害物がない。このため、万が一このブレーカ面１０による切屑処理が不十分で、切屑が被削材からこの延長線上に向けて伸びてしまったような場合でも、伸びた切屑はこの延長線に沿って遮られることなく被削材の切削部位から反対側に流出するだけであるので、かかる切屑が被削材の加工面を傷付けてしまうような事態は避けることができる。また、倣い加工によって切屑の生成される位置が切刃５上で変化しても、切屑の自由な排出が阻害されることもない。
【００３５】
さらに、こうして突条部９の突端Ｑがすくい面３上での最高位置とされて、その延長線上すなわちすくい面３内周側の中央部にこれよりも高い凸部が形成されないようにするのに、本実施形態では逆にこの中央部に凹部１１を形成するようにしており、従って上述のような場合の切屑の上記延長線に沿った流出を一層円滑なものとすることができて、加工面が傷付けられる事態をより確実に防止することができる。また、このように凹部１１が形成されることで、インサート本体１を形成するのに要する材料も削減することができてコストダウンを図ることもできる。
【００３６】
そして、さらにこの凹部１１は、すくい面３がなす円の周方向に隣接する突条部９同士の間隔部分に連通するように凹んでいるので、切削時に切刃部２に向けて供給される切削油剤を、この凹部１１内に一旦保持して上記間隔部分に流入させ、さらにこの間隔部分から切刃５や突条部９のブレーカ面１０に連続的に導入して供給することが可能となる。このため、切刃５や、特にブレーカ面１０の摩耗や発熱を一層確実に抑制することができるので、本実施形態によれば、さらに長期に亙って上述のような円滑な切屑処理性を維持することができる。
【００３７】
しかも、本実施形態では、この凹部１１と上記間隔部分の間の、すくい面３の中央部側に、さらにこの凹部１１に連通する窪み１２が形成されており、従って凹部１１に保持した切削油剤を次にこの窪み１２に導入して保持し、この窪み１２から突条部９の上記間隔部分を介して切刃５やブレーカ面１０に供給することができる。従って、例えば切刃部２への切削油剤の供給が切屑に妨げられたりして不安定となっても、これら切刃５やブレーカ面１０には途切れることなく常に安定して切削油剤を供給することが可能となる。
【００３８】
ただし、本実施形態ではこのように窪み１２を、隣接するすべての突条部９同士の間隔部分と、切刃５の両端部の突条部９と傾斜壁面９Ｃとの間隔部分とに形成しているが、例えば周方向に１つおきに形成したりしてもよく、また上述のように凹部１１が突条部９同士の間隔部分に十分大きな連通部を介して連通していれば、窪み１２を形成しなくてもよい。さらに、切刃５やブレーカ面１０に安定して確実に切削油剤が供給可能であったりすれば、凹部１１についても場合によっては必ずしも形成されていなくてもよく、すなわちすくい面３の中央部が上記突端Ｑと同じ高さで突出した仮想平面Ｐに平行な平坦面とされていてもよい。
【図面の簡単な説明】
【００３９】
【図１】本発明の一実施形態を示す斜視図である。
【図２】図１に示す実施形態の平面図である。
【図３】図１に示す実施形態の側面図である。
【図４】図１に示す実施形態の底面図である。
【図５】図１に示す実施形態の正面図である。
【図６】図２におけるａａ断面図である。
【図７】図２におけるｂｂ断面図である。
【図８】図１に示す実施形態の切刃部２の拡大斜視図である。
【図９】図１に示す実施形態の切刃部２の拡大平面図である。
【符号の説明】
【００４０】
１  インサート本体
２  切刃部
３  すくい面
５  切刃
９  突条部
９Ａ、９Ｃ  傾斜側面
９Ｂ  突条部９の突稜線
１０  ブレーカ面
１１  凹部
１２  窪み
Ｃ  すくい面中心線
Ｐ  切刃５が位置する仮想平面
Ｑ  突条部９の突端
【図１】
2010082732.tif 000003
【図２】
2010082732.tif 000004
【図３】
2010082732.tif 000005
【図４】
2010082732.tif 000006
【図５】
2010082732.tif 000007
【図６】
2010082732.tif 000008
【図７】
2010082732.tif 000009
【図８】
2010082732.tif 000010
【図９】
2010082732.tif 000011